(57)【要約】発明の技術は、実施形態において、種々の保持力が互いに独立して強化され、かつ横から組み立て得る独立して動作可能な力強化器を含むがそれらに限定されない、種々の動作有益性のうちの１つ以上を提供するアイテム支持装置に様々に関する。本発明の技術は、概して、２つの異なる種類の装置を提示し、１つは、アイテム支持ラック部材（例えば、ドラムラック部材）が摺動可能に通過され得る通路を有する球を特徴とし、２つめは、それを通る通路がない球を特徴とする。
2010525418.tif 000002
【特許請求の範囲】
【請求項１】
調整可能支持装置であって、
球であって、該球を通る通路を有し、該装置がラック部材解放構成であるときに、該球は、該通路を通して設置されたアイテム支持ラック部材の長手方向軸に沿って、空間を摺動可能に移動され得る、球と、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該筐体は、該装置が、同時に、該ラック部材解放構成、かつアイテム支持アーム係止構成であるときに、該アイテム支持ラック部材に対する該球の該長手方向軸運動中に空間を移動する、調整可能支持装置。
【請求項２】
前記球は、ユニバーサルボールを備えている、請求項１に記載の調整可能支持装置。
【請求項３】
前記筐体は、前記アイテム支持アーム圧縮表面を備えている、請求項１に記載の調整可能支持装置。
【請求項４】
前記アイテム支持アーム圧縮表面は、前記筐体に固定可能であり、かつ該筐体に対して位置調整可能である、別個のモジュールの一部である、請求項１に記載の調整可能支持装置。
【請求項５】
前記アイテム支持アームは、前記アイテム支持解放構成中にアイテム支持アーム軸に沿って延長可能である、請求項１に記載の調整可能支持装置。
【請求項６】
前記アイテム支持アームは、前記アイテム支持解放構成中にアイテム支持アーム軸の周りで回転可能である、請求項１に記載の調整可能支持装置。
【請求項７】
前記球保持力強化器は、前記筐体に対して旋回可能に設置されている、請求項１に記載の調整可能支持装置。
【請求項８】
前記球保持力強化器は、シャフトと、前記アイテム支持ラック部材保持力を強化することができる位置への前記シャフトの閾値スナップ留めを促進するよう、該シャフトの周囲に設置された付勢要素とを備えている、請求項１に記載の調整可能支持装置。
【請求項９】
前記球保持力強化器は、ネジ式係合可能表面を含む、請求項１に記載の調整可能支持装置。
【請求項１０】
前記アイテム支持アーム保持力強化器は、ネジ式係合可能表面を含む、請求項１に記載の調整可能支持装置。
【請求項１１】
前記筐体は、その中に前記球保持力強化器の少なくとも一部分が定着し得る、空間的シャフトを備えている、請求項１に記載の調整可能支持装置。
【請求項１２】
前記空間的シャフトは、球保持力を強化することができる位置への前記球保持力強化器の閾値スナップ留めを可能にするよう構成されている、少なくとも１つの隆起を備えている、請求項１１に記載の調整可能支持装置。
【請求項１３】
前記球保持力強化器の動作を促進するよう設置された（例えば、前記球保持力強化器の少なくとも一部の周囲に）、付勢要素（例えば、コイル状バネ）をさらに備えている、請求項１に記載の調整可能支持装置。
【請求項１４】
前記球は、閾値力の加力時に前記アイテム支持ラック部材上にスナップ留めするように適合されている（実際には、ある実施形態では、クリック音を出し得る）、請求項１に記載の調整可能支持装置。
【請求項１５】
前記球は、前記アイテム支持ラック部材の端を超えて摺動されることを必要とせずに、該アイテム支持ラック部材上への該球の設置を可能とするように、球ヒンジに沿って開放可能である、請求項１に記載の調整可能支持装置。
【請求項１６】
前記球の内面は、前記アイテム支持ラック部材の外面に適合している、請求項１に記載の調整可能支持装置。
【請求項１７】
前記筐体が前記アイテム支持ラック部材から除去されると、該アイテム支持ラック部材上で前記球を保つように適合された、付勢クリップ１１（例えば、「途切れた」金属リング）をさらに備えている、請求項１に記載の調整可能支持装置。
【請求項１８】
前記付勢クリップは、前記球の実質的周囲に設置される、請求項１７に記載の調整可能支持装置。
【請求項１９】
前記球圧縮表面は、形状が円形である、請求項１に記載の調整可能支持装置。
【請求項２０】
前記球は、ラック部材および前記筐体から分離可能である、請求項１に記載の調整可能支持装置。
【請求項２１】
前記球保持力強化器および前記アイテム支持アーム保持力強化器は、個別かつ異なる部品である、請求項１に記載の調整可能支持装置。
【請求項２２】
前記球は、球開放部位において、歯と対応する陥凹とを含む、請求項１に記載の調整可能支持装置。
【請求項２３】
前記調整可能支持装置である、請求項１に記載の調整可能支持装置。
【請求項２４】
前記装置は、前記ラック部材に対する前記筐体の同時の運動を許容することなく、前記球に対する前記筐体の回転移動を許容する、請求項１に記載の調整可能支持装置。
【請求項２５】
前記球保持力強化器は、前記アイテム支持アーム保持力強化器が前記アイテム支持アーム保持力を加える方向に直角な方向に、前記球保持力を加える、請求項１に記載の調整可能支持装置。
【請求項２６】
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
該アイテム支持ラック部材保持力および該球保持力を強化するように適合された、単一保持力強化器と
を備え、該球は、該アイテム支持ラック部材の上へ直接設置するようには構成されていない、調整可能支持装置。
【請求項２７】
前記単一保持力強化器は、前記筐体に対して旋回可能に設置されている、請求項２６に記載の調整可能支持装置。
【請求項２８】
前記単一保持力強化器は、前記アイテム支持ラック部材保持力および前記球保持力を同時に強化するように適合されている、請求項２６に記載の調整可能支持装置。
【請求項２９】
前記アイテム支持ラック部材の一部分は、前記筐体内に設置され、アイテム支持ラック部材の部分中心を有し、前記球は、球中心を有し、該アイテム支持ラック部材の部分中心と該球中心との間の線は、軸を画定し、前記単一保持力強化器は、該軸に平行な方向に力を加える、請求項２６に記載の調整可能支持装置。
【請求項３０】
前記調整可能支持装置は、横からの組み立てが可能である、請求項２６に記載の調整可能支持装置。
【請求項３１】
前記単一保持力強化器は、前記球保持力を強化しながら、アイテム支持ラック部材保持力を強化するように適合されている、請求項２６に記載の調整可能支持装置。
【請求項３２】
前記単一保持力強化器は、旋回可能に設置されている、請求項２６に記載の調整可能支持装置。
【請求項３３】
前記単一保持力強化器は、シャフトと、前記アイテム支持ラック部材保持力を強化することができる位置への前記シャフトの閾値スナップ留めを促進するよう、該シャフトの周囲に設置された付勢要素とを備えている、請求項２６に記載の調整可能支持装置。
【請求項３４】
前記筐体は、その中に前記単一保持力強化器の少なくとも一部分が定着し得る、空間的シャフトを備えている、請求項２６に記載の調整可能支持装置。
【請求項３５】
前記空間的シャフトは、保持力を強化することができる位置への前記単一保持力強化器の閾値スナップ留めを可能にするよう構成された、少なくとも１つの隆起を備えている、請求項３４に記載の調整可能支持装置。
【請求項３６】
前記単一保持力強化器の動作を促進するよう設置された、付勢要素をさらに備えている、請求項２６に記載の調整可能支持装置。
【請求項３７】
調整可能支持装置であって、
球であって、該球を通る通路を有し、該装置がラック部材解放構成であるときに、該通路を通して設置されたアイテム支持ラック部材の長手方向軸に沿って、空間を摺動可能に移動され得る、球
を備え、該装置はさらに、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該球は、該アイテム支持ラック部材上へ横からの組み立てが可能となるように適合されている、調整可能支持装置。
【請求項３８】
前記アイテム支持アーム保持力強化器は、前記球保持力を強化せずに前記アイテム支持アーム保持力を強化する、請求項３７に記載の調整可能支持装置。
【請求項３９】
前記球保持力強化器は、前記アイテム支持アーム保持力を強化せずに前記球保持力を強化する、請求項３７に記載の調整可能支持装置。
【請求項４０】
前記球保持力強化器は、前記筐体に対して旋回可能に設置されている、請求項３７に記載の調整可能支持装置。
【請求項４１】
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
アイテム支持ラック部材保持力とアイテム支持ラック部材保持力とを強化するように適合された、少なくとも１つの保持力強化器と
を備え、該筐体は、該アイテム支持ラック部材の上および該球の上へ横からの組み立てが可能となるように適合されている、調整可能支持装置。
【請求項４２】
前記少なくとも１つの保持力強化器は、単一保持力強化器である、請求項４１に記載の調整可能支持装置。
【請求項４３】
前記単一保持力強化器は、前記筐体に対して旋回可能に設置されている、請求項４２に記載の調整可能支持装置。
【請求項４４】
球と、
該球の少なくとも部分的に周囲に設置され、
該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
アイテム支持ラック部材保持力を強化するように適合された、アイテム支持ラック部材力強化器と、
該球保持力強化器とは異なり、主に該アイテム支持ラック部材に保持力を加えるように適合された、アイテム支持ラック部材保持力強化器と
を備え、該球は、該アイテム支持ラック部材の上へ直接設置するようには構成されていない、調整可能支持装置。
【請求項４５】
前記筐体は、前記球の上および前記アイテム支持ラック部材の上へ横からの組み立てが可能となるように適合されている、請求項４４に記載の調整可能支持装置。
【請求項４６】
前記アイテム支持ラック部材保持力強化器は、前記筐体に対して旋回可能に設置されている、請求項４４に記載の調整可能支持装置。
【発明の詳細な説明】
【技術分野】
【０００１】
（関連出願の引用）
本願は、国際出願（ＰＣＴ）であり、米国仮出願第６０／９２６，４４８号（２００７年４月２７日出願）に基づく優先権および利益を主張する。該仮出願は、参照により本明細書に援用される。
【０００２】
概して、本発明の技術は、所望の空間的配向でアイテムを支持するためのアイテム支持装置および技法に関する。より具体的には、本発明の技術の実施形態は、ドラムラックに対して固定位置で打楽器を保持する際に使用法を見出す、打楽器支持装置に関する。
【背景技術】
【０００３】
所望の空間的配向で、ドラムを含むがそれらに限定されない、アイテムを保持する所望が周知である。実際に、ドラムラックにドラムを取り付けるように設計された多くの異なる種類の装置がある。しかしながら、既知の技術には、所望に応じた困難で時間がかかり、限定されたアイテムの再位置付けを等の動作限界に加えて、時間がかかる、および／または困難な設定（ラック部材上で所望に応じて位置付けるために、ラック部材の端の上方で摺動させることを必要とする装置によって必然的に生じ得るような）等の、問題がないわけではない。本発明の技術の少なくともある実施形態は、これらの問題に対処しようと努める。
【発明の概要】
【発明が解決しようとする課題】
【０００４】
発明の技術は、実施形態において、種々の保持力が互いに独立して強化され、かつ横から組み立て得る独立して動作可能な力強化器を含むがそれらに限定されない、種々の動作有益性のうちの１つ以上を提供するアイテム支持装置に様々に関する。本発明の技術は、概して、２つの異なる種類の装置を提示し、１つは、アイテム支持ラック部材（例えば、ドラムラック部材）が摺動可能に通過され得る通路を有する球を特徴とし、２つめは、それを通る通路がない球を特徴とする。
【課題を解決するための手段】
【０００５】
記述のように、既知の技術は、所望に応じたアイテムの困難で時間がかかり、限定された再位置付けを含む、動作限界に加えて、時間がかかる、および／または困難な設定（ラック部材上で所望に応じて位置付けるために、ラック部材の端を超えて摺動させることを必要とする装置によって必然的に生じ得るような）を含むがそれに限定されない、動作問題および困難に満ちている。本発明の技術の少なくともある実施形態は、これらの問題に対処しようと努める。
【図面の簡単な説明】
【０００６】
【図１】図１は、それを通る通路を伴う球を有する、本発明の技術の側面の実施形態を、分解図で示す。
【図２】図２は、それを通る通路を伴う球を有する、本発明の技術の側面の実施形態の斜視図を示す。
【図３】図３は、それを通る通路を伴う球を有する、本発明の技術の側面の実施形態の斜視図を示す。
【図４】図４は、それを通る通路を伴う球を有する、本発明の技術の側面の実施形態の斜視図を示す。
【図５】図５は、それを通る通路を伴う球を有する、本発明の技術の側面の実施形態の斜視図を、輪郭で示す。
【図６】図６は、それを通る通路を伴う球を有する、本発明の技術の側面の実施形態の斜視図を示す。
【図７】図７は、それを通る通路を伴う球の上で使用可能な、本発明の技術の側面の実施形態の斜視図を示す。
【図８】図８は、それを通る通路を伴う球を有する、本発明の技術の側面の実施形態を、分解図で示す。
【図９】図９は、それを通る通路を伴う球を有する、本発明の技術の側面の実施形態の斜視図を示す。
【図１０】図１０は、それを通る通路を伴う球を有する、本発明の技術の側面の実施形態の２つの図の写真を示す。
【図１１】図１１は、ドラムラック部材（例えば、ドラムラック段）に取り付けられた時の、それを通る通路を伴う球を有する、本発明の技術の側面の実施形態の写真を示す。
【図１２】図１２は、本発明の技術の側面の一部として組み込まれる、球（ドラムラック支持部材の周囲に設置された時）の写真を示す。
【図１３】図１３は、それを通る通路を伴う球を有する、本発明の技術の側面の実施形態上で、ドラムラック支持部材が設置された、ドラムラックを示す。
【図１４】図１４は、中実球を有する、本発明の技術の側面の実施形態の斜視図を示す。
【図１５】図１５は、中実球を有する、本発明の技術の側面の実施形態の斜視図を示す。
【図１６】図１６は、中実球を有する、本発明の技術の側面の実施形態の図を示す。
【図１７】図１７は、中実球を有する本発明の技術の側面の実施形態を、分解図で示す。
【図１８】図１８は、中実球を有する、本発明の技術の側面の実施形態の斜視図を示す。
【図１９】図１９は、中実球を有する本発明の技術の側面の実施形態を、分解図で示す。
【図２０】図２０は、中実球を有する本発明の技術の側面の実施形態を、部分分解図で示す。
【図２１】図２１は、円筒形締め付けアダプタを有する、本発明の技術の側面の実施形態の図を示す。
【図２２】図２２は、それに取り付けられた本発明のクランプのうちのいくつかを伴うドラムラックを示す。
【図２３】図２３は、その階層に取り付けられた発明のクランプを伴うドラムラックを示す。
【図２４】図２４は、それを通る通路を伴う球を有し、アイテム支持アームが設置され得る取付可能モジュールを有する、本発明の技術の側面の実施形態を示す。
【図２５】図２５は、それを通る通路を伴う球を有し、アイテム支持アームが設置され得る取付可能モジュールを有する、本発明の技術の側面の実施形態の分解図を示す。
【発明を実施するための形態】
【０００７】
前述のように、本発明は、様々な方法で組み合わせられ得る、種々の側面を含む。以下の説明は、要素を記載し、本発明の実施形態のうちのいくつかを説明するように提供される。これらの要素は、初期実施形態とともに記載されるが、さらなる実施形態を提供するように、任意の方式および任意の数で組み合わせられ得ることを理解されたい。様々に説明された実施例および好ましい実施形態は、本発明を、明示的に説明されたシステム、技法、および用途のみに限定すると解釈されるべきではない。さらに、本説明は、任意の数の開示された要素を伴う、各単独要素を伴う、また、本出願または任意の後続出願における全要素のあらゆる種々の順列および組み合わせを伴う、種々の実施形態、システム、技法、方法、デバイス、および用途の全ての説明および請求項を支持し、包含すると理解されたい。
【０００８】
本発明の技術の少なくとも１つの実施形態（大まかに、「穿孔球」実施形態と呼ばれる場合がある実施形態）は、それを通る通路４を有する球２（例えば、ユニバーサルボール）を備える、調整可能支持装置１であり、装置がラック部材解放構成であるときに、球は、通路を通して設置されるアイテム支持ラック部材８２の長手方向軸に沿って、空間を摺動可能に移動され得る。装置は、それ自体が、球に球保持力を加えるように適合される球圧縮表面６をと、アイテム支持アーム８１にアイテム支持アーム保持力を加える（直接または間接的のいずれかで）ように適合されるアイテム支持アーム圧縮表面８とを含む、筐体５を含み得る。調整可能支持装置はさらに、おそらくアイテム支持アーム保持力を強化せずに球保持力を強化する（および、穿孔球の実施形態では、それにより、それを通して設置され得る、アイテム支持ラック部材上の球の力を強化する）ように適合される、球保持力強化器７（そのようなものとして、球保持力強化器は、独立動作式と称され得る）と、おそらく球保持力を強化せずにアイテム支持アーム保持力を強化するように適合される、アイテム支持アーム保持力強化器１０（そのようなものとして、アイテム支持アーム保持力強化器は、独立動作式と称され得る）とを備え得る。概して、図１−１３、２４、および２５は、「穿孔球」の実施形態を示す。
【０００９】
特定の「穿孔球」の実施形態では、筐体は、装置が同時にラック部材解放構成およびアイテム支持アーム係止構成である時に、アイテム支持ラック部材に対する球の軸方向運動中に空間を移動可能であり得る。その代わり、または加えて、装置が同時にラック部材係止構成およびアイテム支持アーム解放構成である時に、アイテム支持アームは、筐体に対して移動可能であり得る。
【００１０】
特定の「穿孔球」の実施形態では、球保持力強化器は、アイテム支持アーム保持力強化器がアイテム支持アーム保持力を加える方向に直角な方向に、球保持力を加える（例えば、図４を参照）。ある設計では、球は、閾値力の加力時にアイテム支持ラック部材上にスナップ留めするように適合される（実際には、ある実施形態では、クリック音がし得る）。それは、アイテム支持ラック部材の端を超えて摺動されることを必要とせずに（すなわち、球が「横からの組み立てが可能」となるように）、アイテム支持ラック部材上への球の設置を許容するよう、球ヒンジ６１に沿って開放可能であり得る。球の内面は、アイテム支持ラック部材の外面に適合し得る。例えば、アイテム支持ラック部材の外面が円形である場合、球の内面もそうであり得、六角形である時は、球の内面もそうであり得る。特に、球の内面が非円形（例えば、六角形）である時、球は、アイテム支持ラック部材上で「クリック」音をさせ得る（おそらく球の「歯」によって引き起こされるような）。特定の実施形態では、アイテム支持アームは、装置がアイテム支持アーム解放構成である時に、アイテム支持アーム長手方向軸に沿って延長可能であり得る。アイテム支持アームは、装置がアイテム支持アーム解放構成である時に、アイテム支持アーム軸の周囲で回転可能であり得る。ある実施形態では、球保持力強化器は、アイテム支持アーム保持力強化器と同じである（例えば、図９を参照）。好ましい実施形態では、２つは個別かつ異なる部品である。
【００１１】
「穿孔球」技術のある実施形態は、筐体がアイテム支持ラック部材から除去されると、アイテム支持ラック部材上で球を保つように適合される、付勢クリップ１１（例えば、「途切れた」金属リング）を含み得る。付勢クリップは、球の実質的周囲に設置され得る。特定の「穿孔球」の実施形態では、球は、ラック部材および筐体から分離可能である（おそらく、球の一方の側面上の旋回ヒンジ８４および他方の側面上の球開放接合部６２により）。注目すべきは、筐体の球圧縮表面は、形状が円形であり得、少なくとも１つの実施形態では、４つの別々の円形隆起として現れる（例えば、図７を参照）ことである。そのような隆起は、ある実施形態では、実質的に１２０度の歯角度を有する。特定の「穿孔球」実施形態では、球は、歯６０と、球開放接合部（例えば、球ヒンジに対向し得る）における対応する陥凹とを含み得る。そのようなものは、アイテム支持ラック部材の周囲で、球の保持または係止（および、おそらく閾値「クリック音」）さえも支援し得る。また、注目すべきは、特定の実施形態では、球保持力強化器は、少なくとも部分的に、筐体に対して旋回可能に設置され得ることであり、それは、シャフト１５と、そこから球保持力を強化することができる位置へのシャフトの閾値スナップ留めを促進するよう、シャフトの周囲に設置される付勢要素１６とを含み得る。
【００１２】
特定の「穿孔球」の実施形態では、記述のように、クランプ装置は、別個の許容可能な運動（例えば、アイテム支持アームに対する筐体の移動）が許容されない間に、その周囲で球が設置される長手方向部材に沿って摺動することによって、空間を移動可能である、球を含み得る。実際に、本発明の技術のある実施形態は、（１）アイテム支持ラック部材に対する装置の許容された運動、およびアイテム支持アームに対する許容された運動、（２）アイテム支持ラック部材に対する装置の許容された運動、しかしアイテム支持アームに対する許容されない運動、（３）アイテム支持ラック部材に対する装置の許容されない運動、しかしアイテム支持アームに対する許容された運動、および（４）アイテム支持ラック部材に対する装置の許容されない運動、およびアイテム支持アームに対する許容されない運動（保持または係止構成）を含む、４つの個別動作様式で使用され得る。実際に、これらの４つの様式は、代替として、アイテム支持アーム解放／係止構成、およびラック部材開放／係止構成といった、４つの装置構成という点で表され得る。
【００１３】
注目すべきは、ある「穿孔球」の実施形態では、装置がアイテム支持ラック部材に対するその運動を許容する時はいつでも、アイテム支持アームに対する運動が許容されるかどうかにかかわらず、装置は、ラック部材解放構成となり得る。同様に、装置がアイテム支持アームに対するその運動を許容する時はいつでも、ラック部材に対する運動が許容されるかどうかにかかわらず、装置は、アイテム支持アーム解放構成である。類似の説明が、ラック部材係止構成およびアイテム支持アーム係止構成に該当する。また、注目すべきは、ある実施形態では、ラック部材に対する筐体の（実際には装置全体の）運動を同時に許容せずに、球に対する筐体の回転移動（例えば、全回転移動）が許容され得、好ましい実施形態では、装置が球に対する筐体の回転移動を許容する時に、装置は、ラック部材解放構成である。
【００１４】
本発明の技術の特定の側面（そのある部分は、口語的に「中実球」の実施形態と呼ばれる場合がある）では、調整可能支持装置は、球２０と、球の少なくとも部分的に周囲に設置され、自らが、球に球保持力を加えるように適合される球圧縮表面２１と、アイテム支持ラック部材８２にアイテム支持ラック部材保持力を加えるように適合される、アイテム支持ラック部材圧縮表面２２とを含む、筐体とを備え得る。「中実」球の実施形態はさらに、アイテム支持ラック部材保持力および球保持力を強化するように適合される、単一保持力強化器２４を含んでもよく、球は、アイテム支持ラック部材の直接上への設置のために構成されない（および、そのようなものとして、「穿孔球」装置ではなく、「中実球」の実施形態と呼ばれる）。図１４−２１は、「中実球」の実施形態を示す。注目すべきは、そのような図のある中実球は、実際に、それらに進入するアーム８１があるように見えるため、穿孔されているように見えるかもしれないが、そのようなアームは、球に対して移動させることができず（それを通るアームの通過を許容する通路がないため）、そのようなものとして、図１４−２０の球は、「穿孔」の定義を満たさない。
【００１５】
ある「中実球」の実施形態では、単一保持力強化器は、筐体に対して旋回可能に設置され得る。単一保持力強化器２４は、アイテム支持ラック部材保持力および球保持力を同時に強化するように適合され得る。さらに、アイテム支持ラック部材の一部分は、筐体内で設置され、アイテム支持ラック部材の部分中心７０を有し、球は、球中心７１を有し、アイテム支持ラック部材の部分中心と球中心との間の線は、軸７２を画定し、単一保持力強化器は、軸に平行な方向７３に力を加える。また、注目すべきは、さらに論議されるように、調整可能支持装置は、横からの組み立てが可能であり得ることである。
【００１６】
本発明の技術の「中実球」の側面（球がアイテム支持ラック部材の直接上への設置のために構成されない）では、球は、実際に本発明の装置の一部として存在するが、ラック部材上の球の設置のための、それを通る通路を特徴としない（実際に、本発明の技術のこの側面の好ましい実施形態では、球は、ラック部材上の設置のために構成されない）。従って、「穿孔球」の実施形態で見ることができるように、装置がラック部材解放構成である時に、球をラック部材に沿って摺動させることはできない（おそらく、「中実球」の実施形態では、球以外の部分がそのように摺動される）。「中実球」という用語は、そのことを意味するにすぎない。
【００１７】
本発明の技術の一側面は、より具体的には、「サイドアセンブリ」を許容することによって、ラック部材上への装置の組立を促進する特徴に関する。特定の「穿孔球」の実施形態（例えば、図１、３、５、および８に示されるような）は、それを通る通路を有する球であって、装置がラック部材解放構成である時に、球は、通路を通して設置されるアイテム支持ラック部材の長手方向軸に沿って、空間を摺動可能に移動され得る、球と、自らが、球に球保持力を加えるように適合される球圧縮表面と、アイテム支持アームにアイテム支持アーム保持力を加えるように適合されるアイテム支持アーム圧縮表面とを含む筐体と、アイテム支持アーム保持力を強化せずに球保持力を強化するように適合される、球保持力強化器と、球保持力を強化せずにアイテム支持アーム保持力を強化するように適合される、アイテム支持アーム保持力強化器とを備える、調整可能支持装置として表され得、球は、アイテム支持ラック部材上へ横からの組み立てが可能となるように適合される。容易に理解できるように、第２のアイテム（例えば、ただ２つの例として、アイテム支持ラック部材または球）上へ横からの組み立てが可能であるもの、それは、第２のアイテムの端を超えて設置された後に、所望の位置へ摺動される必要はなく、その代わり、直接、第２のアイテム上の所望の最終場所において、側面から単純に組み立てることができる。容易に理解できるように、そのような設計は、組立中に時間を節約する。そのような「横からの組み立てが可能な」「穿孔球」の実施形態のうちのあるものでは（実際には、他の実施形態の場合のように）、アイテム支持アーム保持力強化器は、球保持力を強化せずにアイテム支持アーム保持力を強化し得、および／または球保持力強化器は、アイテム支持アーム保持力を強化せずに球保持力を強化する。ある実施形態では、筐体でさえ、球の上へ横からの組み立てが可能であるといわれ得る。サイドアセンブリを可能にする場合があるものは、単純に、横からの組み立てが可能部品の一方の側のヒンジ接合部と、おそらく、他方の側の開放可能接合部とであることが注目される。また、球保持力強化器は、筐体に対して旋回可能に設置され得る。
【００１８】
「穿孔球」設計が「横からの組み立てが可能」となり得るだけでなく、「中実球」の実施形態もまた、何らかの様式で「横からの組み立てが可能」であり得る（例えば、図１４−２１を参照）。実際に、調整可能支持装置は、球２０と、球の少なくとも部分的に周囲に設置され、球に球保持力を加えるように適合される球圧縮表面２１と、アイテム支持ラック部材にアイテム支持ラック部材保持力を加えるように適合される、アイテム支持ラック部材圧縮表面２２とを自ら含む、筐体と、アイテム支持ラック部材保持力を強化するように適合される、少なくとも１つの保持力強化器とを備え得、筐体は、アイテム支持ラック部材の上、および場合によっては、球の上へ横からの組み立てが可能となるように適合される。少なくとも１つの保持力強化器は、単一保持力強化器であり得、単一保持力強化器は、筐体に対して旋回可能に設置され得る。
【００１９】
特定の「中実球」の実施形態（例えば、図１４に示されるような）は、アイテム支持ラック部材保持力強化器とは異なる、アイテム支持ラック部材力強化器を含み得る。そのようなものとして、調整可能支持装置は、球２０と、球の少なくとも部分的に周囲に設置され、球に球保持力を加えるように適合される球圧縮表面２１と、アイテム支持ラック部材にアイテム支持ラック部材保持力を加えるように適合される、アイテム支持ラック部材圧縮表面２２とを自ら含む、筐体と、アイテム支持ラック部材保持力を強化するように適合される、アイテム支持ラック部材力強化器２４と、球保持力強化器とは異なり、主にアイテム支持ラック部材に保持力を加えるように適合される、アイテム支持ラック部材保持力強化器とを備え得、球は、アイテム支持ラック部材の直接上への設置のために構成されない。さらに、筐体は、アイテム支持ラック部材の上へ（および場合によっては球の上へ）横からの組み立てが可能となるように適合され得、球保持力強化器は、筐体に対して旋回可能に設置され得る。
【００２０】
「穿孔球」および「中実球」型装置は、同様の特徴を共有し得る。以下は、各種類で見出され得る、多くの特徴のうちのいくつかである。筐体は、アイテム支持アーム圧縮表面を備え得る。アイテム支持アーム圧縮表面は、筐体に固定可能であり、かつ筐体に対して位置調整可能である、別個のモジュールの一部であり得る（例えば、図２４および２５を参照）、アイテム支持アームは、アイテム支持アーム解放構成中にアイテム支持アーム軸に沿って延長可能であり得、アイテム支持アームは、アイテム支持アーム解放構成中にアイテム支持アーム軸周りで回転可能であり得、球保持力強化器（またはある実施形態では、単一力強化器）は、筐体に対して旋回可能に設置され得る。球保持力強化器（またはある実施形態では、単一保持力強化器）は、シャフトと、そこからアイテム支持ラック部材保持力を強化することができる位置へのシャフトの閾値スナップ留めを促進するよう、シャフトの周囲に設置される付勢要素とを備える。球保持力強化器（またはある実施形態では、単一保持力強化器）は、ネジ式係合可能表面を含み得る。アイテム支持アーム保持力強化器（またはある実施形態では、単一保持力強化器）は、ネジ式係合可能表面を含み得る。筐体は、その中に球保持力強化器（またはある実施形態では、単一保持力強化器）の少なくとも一部分が定着し得る、空間的シャフトを備え得る。空間的シャフトは、そこから球保持力を強化することができる位置への球保持力強化器の閾値スナップ留めを可能にするよう構成される、少なくとも１つの隆起を備え得る。装置は、球保持力強化器（またはある実施形態では、単一保持力強化器）の動作を促進するよう設置される（例えば、球保持力強化器の少なくとも一部の周囲に）、付勢要素（例えば、コイル状バネ）をさらに備え得る。力保持強化器（例えば、球保持力強化器）のうちのいずれかは、ネジ式係合可能表面を含み得る。さらに注目すべきは、「球」という用語は、「穿孔球」または「中実球」の実施形態で見出される球を参照して使用されるかにかかわらず、広義である。そのようなものとして、球は、完全に球形である必要も、完全に平滑である必要も、全方向に転動可能である必要もない。実際に、「穿孔球」の実施形態では、球を通して設置される通路が、２つの対向側面上で球を平坦にする（除去された球のドーム形薄片により）。それにもかかわらず、そのような特定のデバイスは、依然として球と見なされる。また、注目すべきは、装置が（さらなる特異性なしで）横からの組み立てが可能であると言われる場合、そのようなものは、アイテム支持ラック部材上へ横からの組み立てが可能であり得ることを示すにすぎない。
【００２１】
また、「穿孔球」または「中実球」実施形態のいずれかでは、保持力強化器のうちのいずれかは、旋回可能に設置され得る、シャフトを含み得る。隆起５０が、その中に保持力強化器（例えば、ボルト）が定着し得る、空間的シャフトの一部として設置され得、そのような隆起は、保持力を強化することができる位置への保持力強化器の閾値スナップ留めを可能にするよう設置され得る。付勢要素１６（例えば、コイル状バネ）が、保持力強化器の動作を促進するよう設置され得る（例えば、シャフトの周囲に）。  例えば、ワッシャまたはカラー７６を動作位置に保って力の強化を可能にし得、強化された力の解除を容易にし得る。
【００２２】
注目すべきは、種々の使用法および用途が本発明の技術に対し想定されることである。それらの中で主要なのは、好適な、および／または打楽器奏者によって所望される空間的配向で、打楽器を固定するように設計された構造である、ドラムラック等の楽器ラックでの装置の使用法である。実際に、装置のうちのいくつかは、種々のドラムおよびシンバルを所望に応じてそれぞれの位置で保持するための単一ドラムラックでの使用法を見出し得る。
【００２３】
注目すべきは、当業者であれば、図を含む本明細書を再検討することにより、装置を製作するために周知の製造技法を使用することができるであろう。使用法は、ドラムラックで使用されるクランプを漠然と知っている者にさえも容易に明白となるであろう。
【００２４】
先述の内容から容易に理解できるように、本発明の基本概念は、種々の方法で具体化され得る。それは、適切な支持を達成するように、支持技法ならびにデバイスの両方を伴う。本出願では、支持技法は、説明される種々のデバイスによって達成されることが示される結果の一部として、および利用に固有のステップとして開示されている。それらは、単純に、意図および説明されるようなデバイス利用の自然な結果である。加えて、いくつかのデバイスが開示されているが、これらは、ある方法を達成するだけでなく、多数の方法で変えることもできると理解されたい。重要なことには、先述の内容の全体について、これらの面の全ては、本開示によって包含されると理解されたい。
【００２５】
本特許出願に含まれる論議は、基本的な説明としての機能を果たすことを目的とする。読者は、特定の論議が全ての可能な実施形態を明示的に説明するわけではない場合があり、多くの代替案が潜在することを承知すべきである。それはまた、本発明の包括的性質を完全に説明するわけではない場合があり、各特徴または要素が、より広範な機能または多種多様な代替あるいは同等の要素をどのように実際に表すことができるかを明示的に示すわけではない場合がある。再度、これらは本開示に暗示的に含まれる。本発明がデバイス指向の用語で説明される場合、デバイスの各要素は、暗示的に機能を果たす。装置の請求項が、説明されるデバイスについて含まれ得るだけではなく、方法または過程の請求項も、本発明および各要素が果たす機能に対処するように含まれ得る。説明または用語のいずれも、任意の後続特許出願に含まれる請求項の範囲を限定することを目的としない。
【００２６】
また、本発明の本質から逸脱することなく、種々の変更を行ってもよいことも理解されたい。そのような変更もまた、暗示的に説明に含まれる。それらは依然として本発明の範囲内に入る。示される明示的実施形態、多種多様な暗示的代替実施形態、および広範な方法または過程、および同等物の両方を包含する、広範な開示は、本開示によって包含され、任意の後続特許出願のために請求項を起草する時に頼られ得る。そのような言語変更、およびより広範または詳細な請求は、後日（任意の必要期日まで等）に、または後に出願人がこの申請に基づいて特許申請を求める場合に、達成され得ることを理解されたい。この理解とともに、読者は、本開示が、出願人の権利内と見なされるほどの広さの請求項の基礎の調査を求めてもよく、独立して、および全体的システムとしての両方で、本発明の多数の側面を網羅する特許を生じるように設計され得る、任意の後続申請特許出願を支持すると理解されるものであると、承知すべきである。
【００２７】
さらに、本発明および請求項の種々の要素のそれぞれはまた、種々の方式で達成され得る。加えて、使用または暗示される時に、要素は、物理的に接続されてもされなくてもよい、個々の構造ならびに複数の構造を包含するとして理解されるものである。本開示は、任意の装置の実施形態の一実施形態の変化例であれ、方法または過程の実施形態であれ、または単にこれらの任意の要素の変化例であれ、それぞれのそのような変化例を包含すると理解されたい。特に、開示が本発明の要素に関する際に、各要素に対する言葉は、たとえ機能または結果のみが同じであっても、同等の装置の用語または方法の用語によって表現され得ることを理解されたい。そのような同等な、より広範な、またはより一般的な用語は、各要素または作用の説明に含まれると見なされるべきである。そのような用語は、本発明が付与される暗示的に広範な範囲を明示するよう所望される場合に、置換することができる。一例のみとして、全ての作用が、その作用を行うための手段として、またはその作用を引き起こす要素として、表現され得ることを理解されたい。同様に、開示される各物理的要素は、その物理的要素が促進する作用の開示を包含すると理解されるべきである。この最後の側面に関して、一例のみとして、「クランプ」の開示は、明示的に論議されるか否かにかかわらず、「締め付ける」行為の開示を包含すると理解されるべきであり、逆に、「締め付ける」行為の開示が効果的に存在するならば、そのような開示は、「クランプ」および「締め付けるための手段」の開示さえ包含すると理解されるべきである。そのような変更および代替用語は、説明に明示的に含まれると理解されるものである。
【００２８】
本特許出願で記述される任意の法律、法規、規定、または規則、または特許、公報、または本特許出願で記述される他の参考資料は、参照することにより本明細書に組み込まれる。本出願によって請求される任意の優先事例は、本明細書に添付され、参照することにより本明細書に組み込まれる。加えて、使用される各用語に関して、本出願でのその利用が広範に支持する解釈と矛盾しない限り、一般的な辞書の定義が各用語について組み込まれると理解されるべきであり、Ｒａｎｄｏｍ  Ｈｏｕｓｅ  Ｗｅｂｓｔｅｒ'ｓ  Ｕｎａｂｒｉｄｇｅｄ  Ｄｉｃｔｉｏｎａｒｙ第２版に含まれるような全ての定義、代替用語、および同義語が、参照することにより本明細書に組み込まれると理解されたい。最後に、本出願に従って参照することにより組み込まれる参考資料の一覧に記載される全ての参考資料、または本出願とともに申請される他の情報記述は、本明細書に添付され、参照することにより本明細書に組み込まれるが、上記のそれぞれに関して、参照することにより組み込まれるそのような情報または記述が、この／これらの発明の特許権取得と矛盾すると見なされる場合がある程度に、そのような記述は、出願人によって行われると明示的には見なされない。
【００２９】
【化１】
2010525418.tif 000003
【００３０】
【化２】
2010525418.tif 000004
【００３１】
【化３】
2010525418.tif 000005
【００３２】
【化４】
2010525418.tif 000006
したがって、出願人（ら）は、特許請求の範囲を支持し、少なくとも以下に対する発明の記述を行うと理解されるべきである。ｉ）本明細書で開示および説明されるような支持デバイスのそれぞれ、ｉｉ）開示および説明される関連方法、ｉｉｉ）これらのデバイスおよび方法の同様、同等、および暗示的変化例、ｉｖ）開示および説明されるような機能のそれぞれを達成する代替的設計、ｖ）開示および説明される機能を達成することが暗示されるような、示される機能のそれぞれを達成する代替的設計および方法、ｖｉ）別個かつ独立した発明として示される、各特徴、構成要素、およびステップ、ｖｉｉ）開示される種々のシステムまたは構成要素によって強化される用途、ｉｉｉ）そのようなシステムまたは構成要素によって生産される、結果として生じる製品、ｉｘ）記述される任意の特定の分野またはデバイスに適用されるような、示される、または説明される、各システム、方法、および要素、ｘ）以上で、および添付の実施例のいずれかを参照して、実質的に説明されるような方法および装置、ｘｉ）開示される要素のそれぞれの種々の組み合わせおよび順列、ｘｉｉ）提示される独立請求項および概念の１つ１つの従属としての、各潜在的独立請求項または概念、およびｘｉｉｉ）本明細書で説明される全ての発明。
【００３３】
請求項に関して、審査のために現在提示されようと後に提示されようと、実用的理由により、および審査負担の大きな拡大を回避するよう、出願人は、いかなる時でも、初期請求項のみ、または場合によっては、初期従属のみを伴う初期請求項のみを提示し得る。サポートは、Ｅｕｒｏｐｅａｎ  Ｐａｔｅｎｔ  Ｃｏｎｖｅｎｔｉｏｎ  Ａｒｔｉｃｌｅ  １２３（２）およびＵｎｉｔｅｄ  Ｓｔａｔｅｓ  Ｐａｔｅｎｔ  Ｌａｗ  ３５  ＵＳＣ  １３２または他のそのような法律を含むが、それらに限定されない、新規事項の法律の下で必要とされる程度に存在し、任意の他の独立請求項または概念の下の従属または要素として、１つの独立請求項または概念の下で提示される種々の従属または他の要素のうちのいずれかの追加を可能にすると理解されるべきである。また、本出願であろうと任意の後続出願であろうと、いかなる時でも任意の請求項を起草する際に、出願人は、合法的に利用可能な程度に完全かつ広範な対象範囲を捕捉することを目的としたと理解されたい。出願人が単に全ての起こり得る事態を予期できない場合があるため、ごくわずかな置換が行われる程度に、任意の特定の実施形態を文字通りに包含するよう出願人が実際に請求項を起草しなかった程度に、および他の方法で適用可能な程度に、出願人は、そのような範囲の放棄を意図した、または実際に放棄したと決して理解されるべきではない。当業者は、そのような代替実施形態を文字通り包含したであろう請求項を起草したと合理的に見込まれるべきではない。
【００３４】
さらに、使用される場合または使用される時に、「〜を備える」という伝統的な句は、従来の請求項解釈に従って、本明細書で「制約のない」請求項を維持するために使用される。したがって、文脈が他に必要としない限り、「備える」という用語、または「〜を備える」等の変化例は、記述された要素またはステップあるいは要素またはステップ群の内含を暗示するが、任意の他の要素またはステップあるいは要素またはステップ群の除外を暗示しないことを目的とする。そのような用語は、出願人が合法的に許容可能である最も広範な範囲を得ることができるよう、最も拡張的な形態で解釈されるべきである。
【００３５】
最後に、いかなる時でも説明される任意の請求項は、本発明のこの説明の一部として、参照することにより本明細書に組み込まれ、出願人は、さらなる説明として、そのような請求項のそのような組み込まれた内容の全体または一部分を使用する権利を明示的に留保して、請求の全ておよびいずれか、またはそれらの任意の要素あるいは構成要素を支持し、出願人はさらに、必要に応じて、説明から請求項へと、またはその逆に、そのような請求項またはそれらの任意の要素あるいは構成要素の組み込まれた内容の全体または一部分を移動させる権利を明示的に留保して、本出願によって、またはその任意の後続の継続、分割、または部分的継続出願によって、保護が求められる事項を定義するか、または、特許法、規則、または任意の国あるいは条約の規定に従う、または準拠する、手数料の便益または削減を取得し、そのような参照することにより組み込まれる内容は、その任意の後続の継続、分割、または部分的継続出願、またはその再発行あるいは延長を含む、本出願の係属全体の間に存続するものとする。
【図１】
2010525418.tif 000007
【図２】
2010525418.tif 000008
【図３】
2010525418.tif 000009
【図４】
2010525418.tif 000010
【図５】
2010525418.tif 000011
【図６】
2010525418.tif 000012
【図７】
2010525418.tif 000013
【図８】
2010525418.tif 000014
【図９】
2010525418.tif 000015
【図１０ａ】
2010525418.tif 000016
【図１０ｂ】
2010525418.tif 000017
【図１１ａ】
2010525418.tif 000018
【図１１ｂ】
2010525418.tif 000019
【図１２】
2010525418.tif 000020
【図１３】
2010525418.tif 000021
【図１４】
2010525418.tif 000022
【図１５】
2010525418.tif 000023
【図１６】
2010525418.tif 000024
【図１７】
2010525418.tif 000025
【図１８】
2010525418.tif 000026
【図１９】
2010525418.tif 000027
【図２０】
2010525418.tif 000028
【図２１】
2010525418.tif 000029
【図２２】
2010525418.tif 000030
【図２３】
2010525418.tif 000031
【図２４】
2010525418.tif 000032
【図２５】
2010525418.tif 000033
【手続補正書】
【提出日】平成22年1月5日(2010.1.5)
【手続補正１】
【補正対象書類名】明細書
【補正対象項目名】０００５
【補正方法】変更
【補正の内容】
【０００５】
記述のように、既知の技術は、所望に応じたアイテムの困難で時間がかかり、限定された再位置付けを含む、動作限界に加えて、時間がかかる、および／または困難な設定（ラック部材上で所望に応じて位置付けるために、ラック部材の端を超えて摺動させることを必要とする装置によって必然的に生じ得るような）を含むがそれに限定されない、動作問題および困難に満ちている。本発明の技術の少なくともある実施形態は、これらの問題に対処しようと努める。
（項目１）
調整可能支持装置であって、
球であって、該球を通る通路を有し、該装置がラック部材解放構成であるときに、該球は、該通路を通して設置されたアイテム支持ラック部材の長手方向軸に沿って、空間を摺動可能に移動され得る、球と、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該筐体は、該装置が、同時に、該ラック部材解放構成、かつアイテム支持アーム係止構成であるときに、該アイテム支持ラック部材に対する該球の該長手方向軸運動中に空間を移動する、調整可能支持装置。
（項目２）
前記球は、ユニバーサルボールを備えている、項目１に記載の調整可能支持装置。
（項目３）
前記筐体は、前記アイテム支持アーム圧縮表面を備えている、項目１に記載の調整可能支持装置。
（項目４）
前記アイテム支持アーム圧縮表面は、前記筐体に固定可能であり、かつ該筐体に対して位置調整可能である、別個のモジュールの一部である、項目１に記載の調整可能支持装置。
（項目５）
前記アイテム支持アームは、前記アイテム支持解放構成中にアイテム支持アーム軸に沿って延長可能である、項目１に記載の調整可能支持装置。
（項目６）
前記アイテム支持アームは、前記アイテム支持解放構成中にアイテム支持アーム軸の周りで回転可能である、項目１に記載の調整可能支持装置。
（項目７）
前記球保持力強化器は、前記筐体に対して旋回可能に設置されている、項目１に記載の調整可能支持装置。
（項目８）
前記球保持力強化器は、シャフトと、前記アイテム支持ラック部材保持力を強化することができる位置への前記シャフトの閾値スナップ留めを促進するよう、該シャフトの周囲に設置された付勢要素とを備えている、項目１に記載の調整可能支持装置。
（項目９）
前記球保持力強化器は、ネジ式係合可能表面を含む、項目１に記載の調整可能支持装置。
（項目１０）
前記アイテム支持アーム保持力強化器は、ネジ式係合可能表面を含む、項目１に記載の調整可能支持装置。
（項目１１）
前記筐体は、その中に前記球保持力強化器の少なくとも一部分が定着し得る、空間的シャフトを備えている、項目１に記載の調整可能支持装置。
（項目１２）
前記空間的シャフトは、球保持力を強化することができる位置への前記球保持力強化器の閾値スナップ留めを可能にするよう構成されている、少なくとも１つの隆起を備えている、項目１１に記載の調整可能支持装置。
（項目１３）
前記球保持力強化器の動作を促進するよう設置された（例えば、前記球保持力強化器の少なくとも一部の周囲に）、付勢要素（例えば、コイル状バネ）をさらに備えている、項目１に記載の調整可能支持装置。
（項目１４）
前記球は、閾値力の加力時に前記アイテム支持ラック部材上にスナップ留めするように適合されている（実際には、ある実施形態では、クリック音を出し得る）、項目１に記載の調整可能支持装置。
（項目１５）
前記球は、前記アイテム支持ラック部材の端を超えて摺動されることを必要とせずに、該アイテム支持ラック部材上への該球の設置を可能とするように、球ヒンジに沿って開放可能である、項目１に記載の調整可能支持装置。
（項目１６）
前記球の内面は、前記アイテム支持ラック部材の外面に適合している、項目１に記載の調整可能支持装置。
（項目１７）
前記筐体が前記アイテム支持ラック部材から除去されると、該アイテム支持ラック部材上で前記球を保つように適合された、付勢クリップ１１（例えば、「途切れた」金属リング）をさらに備えている、項目１に記載の調整可能支持装置。
（項目１８）
前記付勢クリップは、前記球の実質的周囲に設置される、項目１７に記載の調整可能支持装置。
（項目１９）
前記球圧縮表面は、形状が円形である、項目１に記載の調整可能支持装置。
（項目２０）
前記球は、ラック部材および前記筐体から分離可能である、項目１に記載の調整可能支持装置。
（項目２１）
前記球保持力強化器および前記アイテム支持アーム保持力強化器は、個別かつ異なる部品である、項目１に記載の調整可能支持装置。
（項目２２）
前記球は、球開放部位において、歯と対応する陥凹とを含む、項目１に記載の調整可能支持装置。
（項目２３）
前記調整可能支持装置である、項目１に記載の調整可能支持装置。
（項目２４）
前記装置は、前記ラック部材に対する前記筐体の同時の運動を許容することなく、前記球に対する前記筐体の回転移動を許容する、項目１に記載の調整可能支持装置。
（項目２５）
前記球保持力強化器は、前記アイテム支持アーム保持力強化器が前記アイテム支持アーム保持力を加える方向に直角な方向に、前記球保持力を加える、項目１に記載の調整可能支持装置。
（項目２６）
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
該アイテム支持ラック部材保持力および該球保持力を強化するように適合された、単一保持力強化器と
を備え、該球は、該アイテム支持ラック部材の上へ直接設置するようには構成されていない、調整可能支持装置。
（項目２７）
前記単一保持力強化器は、前記筐体に対して旋回可能に設置されている、項目２６に記載の調整可能支持装置。
（項目２８）
前記単一保持力強化器は、前記アイテム支持ラック部材保持力および前記球保持力を同時に強化するように適合されている、項目２６に記載の調整可能支持装置。
（項目２９）
前記アイテム支持ラック部材の一部分は、前記筐体内に設置され、アイテム支持ラック部材の部分中心を有し、前記球は、球中心を有し、該アイテム支持ラック部材の部分中心と該球中心との間の線は、軸を画定し、前記単一保持力強化器は、該軸に平行な方向に力を加える、項目２６に記載の調整可能支持装置。
（項目３０）
前記調整可能支持装置は、横からの組み立てが可能である、項目２６に記載の調整可能支持装置。
（項目３１）
前記単一保持力強化器は、前記球保持力を強化しながら、アイテム支持ラック部材保持力を強化するように適合されている、項目２６に記載の調整可能支持装置。
（項目３２）
前記単一保持力強化器は、旋回可能に設置されている、項目２６に記載の調整可能支持装置。
（項目３３）
前記単一保持力強化器は、シャフトと、前記アイテム支持ラック部材保持力を強化することができる位置への前記シャフトの閾値スナップ留めを促進するよう、該シャフトの周囲に設置された付勢要素とを備えている、項目２６に記載の調整可能支持装置。
（項目３４）
前記筐体は、その中に前記単一保持力強化器の少なくとも一部分が定着し得る、空間的シャフトを備えている、項目２６に記載の調整可能支持装置。
（項目３５）
前記空間的シャフトは、保持力を強化することができる位置への前記単一保持力強化器の閾値スナップ留めを可能にするよう構成された、少なくとも１つの隆起を備えている、項目３４に記載の調整可能支持装置。
（項目３６）
前記単一保持力強化器の動作を促進するよう設置された、付勢要素をさらに備えている、項目２６に記載の調整可能支持装置。
（項目３７）
調整可能支持装置であって、
球であって、該球を通る通路を有し、該装置がラック部材解放構成であるときに、該通路を通して設置されたアイテム支持ラック部材の長手方向軸に沿って、空間を摺動可能に移動され得る、球
を備え、該装置はさらに、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該球は、該アイテム支持ラック部材上へ横からの組み立てが可能となるように適合されている、調整可能支持装置。
（項目３８）
前記アイテム支持アーム保持力強化器は、前記球保持力を強化せずに前記アイテム支持アーム保持力を強化する、項目３７に記載の調整可能支持装置。
（項目３９）
前記球保持力強化器は、前記アイテム支持アーム保持力を強化せずに前記球保持力を強化する、項目３７に記載の調整可能支持装置。
（項目４０）
前記球保持力強化器は、前記筐体に対して旋回可能に設置されている、項目３７に記載の調整可能支持装置。
（項目４１）
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
アイテム支持ラック部材保持力とアイテム支持ラック部材保持力とを強化するように適合された、少なくとも１つの保持力強化器と
を備え、該筐体は、該アイテム支持ラック部材の上および該球の上へ横からの組み立てが可能となるように適合されている、調整可能支持装置。
（項目４２）
前記少なくとも１つの保持力強化器は、単一保持力強化器である、項目４１に記載の調整可能支持装置。
（項目４３）
前記単一保持力強化器は、前記筐体に対して旋回可能に設置されている、項目４２に記載の調整可能支持装置。
（項目４４）
球と、
該球の少なくとも部分的に周囲に設置され、
該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
アイテム支持ラック部材保持力を強化するように適合された、アイテム支持ラック部材力強化器と、
該球保持力強化器とは異なり、主に該アイテム支持ラック部材に保持力を加えるように適合された、アイテム支持ラック部材保持力強化器と
を備え、該球は、該アイテム支持ラック部材の上へ直接設置するようには構成されていない、調整可能支持装置。
（項目４５）
前記筐体は、前記球の上および前記アイテム支持ラック部材の上へ横からの組み立てが可能となるように適合されている、項目４４に記載の調整可能支持装置。
（項目４６）
前記アイテム支持ラック部材保持力強化器は、前記筐体に対して旋回可能に設置されている、項目４４に記載の調整可能支持装置。
【手続補正２】
【補正対象書類名】明細書
【補正対象項目名】００２２
【補正方法】変更
【補正の内容】
【００２２】
注目すべきは、種々の使用法および用途が本発明の技術に対し想定されることである。それらの中で主要なのは、好適な、および／または打楽器奏者によって所望される空間的配向で、打楽器を固定するように設計された構造である、ドラムラック等の楽器ラックでの装置の使用法である。実際に、装置のうちのいくつかは、種々のドラムおよびシンバルを所望に応じてそれぞれの位置で保持するための単一ドラムラックでの使用法を見出し得る。
【表１】
2010525418.tif 000034
【表２】
2010525418.tif 000035
【表３】
2010525418.tif 000036
【手続補正３】
【補正対象書類名】特許請求の範囲
【補正対象項目名】全文
【補正方法】変更
【補正の内容】
【特許請求の範囲】
【請求項１】
調整可能支持装置であって、
球であって、該球を通る通路を有し、該装置がラック部材解放構成であるときに、該球は、該通路を通して設置されたアイテム支持ラック部材の長手方向軸に沿って、空間を摺動可能に移動され得る、球と、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該筐体は、該装置が、同時に、該ラック部材解放構成、かつアイテム支持アーム係止構成であるときに、該アイテム支持ラック部材に対する該球の該長手方向軸運動中に空間を移動する、調整可能支持装置。
【請求項２】
前記球は、ユニバーサルボールを備えている、請求項１に記載の調整可能支持装置。
【請求項３】
前記筐体は、前記アイテム支持アーム圧縮表面を備えている、請求項１に記載の調整可能支持装置。
【請求項４】
前記アイテム支持アーム圧縮表面は、前記筐体に固定可能であり、かつ該筐体に対して位置調整可能である、別個のモジュールの一部である、請求項１に記載の調整可能支持装置。
【請求項５】
前記アイテム支持アームは、前記アイテム支持解放構成中にアイテム支持アーム軸に沿って延長可能である、請求項１に記載の調整可能支持装置。
【請求項６】
前記アイテム支持アームは、前記アイテム支持解放構成中にアイテム支持アーム軸の周りで回転可能である、請求項１に記載の調整可能支持装置。
【請求項７】
前記球保持力強化器は、前記筐体に対して旋回可能に設置されている、請求項１に記載の調整可能支持装置。
【請求項８】
前記球保持力強化器は、シャフトと、前記アイテム支持ラック部材保持力を強化することができる位置への前記シャフトの閾値スナップ留めを促進するよう、該シャフトの周囲に設置された付勢要素とを備えている、請求項１に記載の調整可能支持装置。
【請求項９】
前記球保持力強化器は、ネジ式係合可能表面を含む、請求項１に記載の調整可能支持装置。
【請求項１０】
前記アイテム支持アーム保持力強化器は、ネジ式係合可能表面を含む、請求項１に記載の調整可能支持装置。
【請求項１１】
前記筐体は、その中に前記球保持力強化器の少なくとも一部分が定着し得る、空間的シャフトを備えている、請求項１に記載の調整可能支持装置。
【請求項１２】
前記空間的シャフトは、球保持力を強化することができる位置への前記球保持力強化器の閾値スナップ留めを可能にするよう構成されている、少なくとも１つの隆起を備えている、請求項１１に記載の調整可能支持装置。
【請求項１３】
前記球保持力強化器の動作を促進するよう設置された、付勢要素をさらに備えている、請求項１に記載の調整可能支持装置。
【請求項１４】
前記球は、閾値力の加力時に前記アイテム支持ラック部材上にスナップ留めするように適合されている、請求項１に記載の調整可能支持装置。
【請求項１５】
前記球は、前記アイテム支持ラック部材の端を超えて摺動されることを必要とせずに、該アイテム支持ラック部材上への該球の設置を可能とするように、球ヒンジに沿って開放可能である、請求項１に記載の調整可能支持装置。
【請求項１６】
前記球の内面は、前記アイテム支持ラック部材の外面に適合している、請求項１に記載の調整可能支持装置。
【請求項１７】
前記筐体が前記アイテム支持ラック部材から除去されると、該アイテム支持ラック部材上で前記球を保つように適合された、付勢クリップ１１をさらに備えている、請求項１に記載の調整可能支持装置。
【請求項１８】
前記付勢クリップは、前記球の実質的周囲に設置される、請求項１７に記載の調整可能支持装置。
【請求項１９】
前記球圧縮表面は、形状が円形である、請求項１に記載の調整可能支持装置。
【請求項２０】
前記球は、ラック部材および前記筐体から分離可能である、請求項１に記載の調整可能支持装置。
【請求項２１】
前記球保持力強化器および前記アイテム支持アーム保持力強化器は、個別かつ異なる部品である、請求項１に記載の調整可能支持装置。
【請求項２２】
前記球は、球開放部位において、歯と対応する陥凹とを含む、請求項１に記載の調整可能支持装置。
【請求項２３】
前記調整可能支持装置である、請求項１に記載の調整可能支持装置。
【請求項２４】
前記装置は、前記ラック部材に対する前記筐体の同時の運動を許容することなく、前記球に対する前記筐体の回転移動を許容する、請求項１に記載の調整可能支持装置。
【請求項２５】
前記球保持力強化器は、前記アイテム支持アーム保持力強化器が前記アイテム支持アーム保持力を加える方向に直角な方向に、前記球保持力を加える、請求項１に記載の調整可能支持装置。
【請求項２６】
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
該アイテム支持ラック部材保持力および該球保持力を強化するように適合された、単一保持力強化器と
を備え、該球は、該アイテム支持ラック部材の上へ直接設置するようには構成されていない、調整可能支持装置。
【請求項２７】
前記単一保持力強化器は、前記筐体に対して旋回可能に設置されている、請求項２６に記載の調整可能支持装置。
【請求項２８】
前記単一保持力強化器は、前記アイテム支持ラック部材保持力および前記球保持力を同時に強化するように適合されている、請求項２６に記載の調整可能支持装置。
【請求項２９】
前記アイテム支持ラック部材の一部分は、前記筐体内に設置され、アイテム支持ラック部材の部分中心を有し、前記球は、球中心を有し、該アイテム支持ラック部材の部分中心と該球中心との間の線は、軸を画定し、前記単一保持力強化器は、該軸に平行な方向に力を加える、請求項２６に記載の調整可能支持装置。
【請求項３０】
前記調整可能支持装置は、横からの組み立てが可能である、請求項２６に記載の調整可能支持装置。
【請求項３１】
前記単一保持力強化器は、前記球保持力を強化しながら、アイテム支持ラック部材保持力を強化するように適合されている、請求項２６に記載の調整可能支持装置。
【請求項３２】
前記単一保持力強化器は、旋回可能に設置されている、請求項２６に記載の調整可能支持装置。
【請求項３３】
前記単一保持力強化器は、シャフトと、前記アイテム支持ラック部材保持力を強化することができる位置への前記シャフトの閾値スナップ留めを促進するよう、該シャフトの周囲に設置された付勢要素とを備えている、請求項２６に記載の調整可能支持装置。
【請求項３４】
前記筐体は、その中に前記単一保持力強化器の少なくとも一部分が定着し得る、空間的シャフトを備えている、請求項２６に記載の調整可能支持装置。
【請求項３５】
前記空間的シャフトは、保持力を強化することができる位置への前記単一保持力強化器の閾値スナップ留めを可能にするよう構成された、少なくとも１つの隆起を備えている、請求項３４に記載の調整可能支持装置。
【請求項３６】
前記単一保持力強化器の動作を促進するよう設置された、付勢要素をさらに備えている、請求項２６に記載の調整可能支持装置。
【請求項３７】
調整可能支持装置であって、
球であって、該球を通る通路を有し、該装置がラック部材解放構成であるときに、該通路を通して設置されたアイテム支持ラック部材の長手方向軸に沿って、空間を摺動可能に移動され得る、球
を備え、該装置はさらに、
該球に球保持力を加えるように適合された球圧縮表面を自ら含む、筐体と、
アイテム支持アームにアイテム支持アーム保持力を加えるように適合された、アイテム支持アーム圧縮表面と、
該アイテム支持アーム保持力を強化せずに該球保持力を強化するように適合された、球保持力強化器と、
該球保持力を強化せずに該アイテム支持アーム保持力を強化するように適合された、アイテム支持アーム保持力強化器と
を備え、該球は、該アイテム支持ラック部材上へ横からの組み立てが可能となるように適合されている、調整可能支持装置。
【請求項３８】
前記アイテム支持アーム保持力強化器は、前記球保持力を強化せずに前記アイテム支持アーム保持力を強化する、請求項３７に記載の調整可能支持装置。
【請求項３９】
前記球保持力強化器は、前記アイテム支持アーム保持力を強化せずに前記球保持力を強化する、請求項３７に記載の調整可能支持装置。
【請求項４０】
前記球保持力強化器は、前記筐体に対して旋回可能に設置されている、請求項３７に記載の調整可能支持装置。
【請求項４１】
球と、
該球の少なくとも部分的に周囲に設置され、該球に球保持力を加えるように適合された球圧縮表面と、アイテム支持ラック部材にアイテム支持ラック部材保持力を加えるように適合された、アイテム支持ラック部材圧縮表面とを自ら含む、筐体と、
該アイテム支持ラック部材保持力と該球保持力とを強化するように適合された、単一保持力強化器と
を備え、該筐体は、該アイテム支持ラック部材の上および該球の上へ横からの組み立てが可能となるように適合されており、
該単一保持力強化器は、長手方向軸を規定し、該単一の保持力強化器は、該長手方向軸に直交する旋回軸の周りを旋回可能である、調整可能支持装置。
【請求項４２】
前記アイテム支持ラック部材の一部分は、前記筐体内に設置され、アイテム支持ラック部材の部分中心を有し、前記球は、球中心を有し、該アイテム支持ラック部材の部分中心と該球中心との間の線は、軸を画定し、前記単一保持力強化器は、該軸に平行な方向に力を加える、請求項４１に記載の調整可能支持装置。
【請求項４３】
前記球保持力強化器は、シャフトと、前記アイテム支持ラック部材保持力を強化することができる位置への前記シャフトの閾値スナップ留めを促進するよう、該シャフトの周囲に設置された付勢要素とを備えている、請求項４１に記載の調整可能支持装置。
【請求項４４】
前記球保持力強化器は、ネジ式係合可能表面を含む、請求項４１に記載の調整可能支持装置。
【請求項４５】
前記アイテム支持アーム保持力強化器は、ネジ式係合可能表面を含む、請求項４１に記載の調整可能支持装置。
【請求項４６】
前記筐体は、その中に前記球保持力強化器の少なくとも一部分が定着し得る、空間的シャフトを備えている、請求項４１に記載の調整可能支持装置。
【請求項４７】
前記空間的シャフトは、球保持力を強化することができる位置への前記球保持力強化器の閾値スナップ留めを可能にするよう構成されている、少なくとも１つの隆起を備えている、請求項４６に記載の調整可能支持装置。
【請求項４８】
前記球保持力強化器の動作を促進するよう設置された、付勢要素をさらに備えている、請求項４１に記載の調整可能支持装置。
【請求項４９】
前記球は、閾値力の加力時に前記アイテム支持ラック部材上にスナップ留めするように適合されている請求項４１に記載の調整可能支持装置。、
【手続補正４】
【補正対象書類名】図面
【補正対象項目名】全図
【補正方法】変更
【補正の内容】
【図１】
2010525418.tif 000037
【図２】
2010525418.tif 000038
【図３】
2010525418.tif 000039
【図４】
2010525418.tif 000040
【図５】
2010525418.tif 000041
【図６】
2010525418.tif 000042
【図７】
2010525418.tif 000043
【図８】
2010525418.tif 000044
【図９】
2010525418.tif 000045
【図１０】
2010525418.tif 000046
【図１１】
2010525418.tif 000047
【図１２】
2010525418.tif 000048
【図１３】
2010525418.tif 000049
【図１４】
2010525418.tif 000050
【図１５】
2010525418.tif 000051
【図１６】
2010525418.tif 000052
【図１７】
2010525418.tif 000053
【図１８】
2010525418.tif 000054
【図１９】
2010525418.tif 000055
【図２０】
2010525418.tif 000056
【図２１】
2010525418.tif 000057
【図２２】
2010525418.tif 000058
【図２３】
2010525418.tif 000059
【図２４】
2010525418.tif 000060
【図２５】
2010525418.tif 000061
【国際調査報告】
2010525418.tif 000062